(57)【特許請求の範囲】
【請求項１】
キャビン（８）の冷房装置の室外コンデンサ（２１）を、キャビン（８）側方に位置するボンネット（１４）上に設置した掘削作業車において、該室外コンデンサ（２１）を、冷却コア面（２１ａ）を上面に配置して横置き状態とし、該室外コンデンサ（２１）を前低後高に傾斜して配置し、該室外コンデンサ（２１）の下方には冷却ファン（２２）を配置し、該冷却ファン（２２）の下方に駆動モータ（２３）を配置し、前記室外コンデンサ（２１）、及び室外コンデンサ（２１）用の冷却ファン（２２）、及び冷却ファン（２２）の駆動モータ（２３）を、コンデンサカバー（１５）により被覆し、該コンデンサカバー（１５）の前面（１５ａ）、後面（１５ｂ）、外側面（１５ｃ）、及び上面（１５ｄ）に吸排気孔（２７）を形成し、該コンデンサカバー（１５）の上面（１５ｄ）の吸排気孔（２７）は、該コンデンサカバー（１５）内の電装部品である駆動モータ（２３）の配置位置よりずらせて形成し、前記ボンネット（１４）上面における、横置きした室外コンデンサ（２１）が設置される部分は、凹陥させて他部よりも低い面とした凹陥部（１４ａ）に形成したことを特徴とする掘削作業車の冷房装置配置構造。
【発明の詳細な説明】
【０００１】
【発明の属する技術分野】
本発明は、掘削作業車におけるキャビンの冷房装置に関し、特に、該冷房装置の室外コンデンサの配置構造に関する。
【０００２】
【従来の技術】
従来から、バックホー等の作業機を搭載し、運転部をキャビンにて覆った掘削作業車には、該キャビン内を冷房するための冷房装置を備えたものがあった。このような掘削作業車においては、キャビン側方に配置されるステップ上や、キャビン側方に配置されるボンネット上に、冷房装置の室外コンデンサを設置しており、該室外コンデンサは縦置きされていた。例えば、図８に示す掘削作業車においては、クローラ式走行装置１０１により旋回可能に支持される旋回体１０２上にボンネット１０３及びキャビン１０４が配設され、該ボンネット１０３はキャビン１０４の側方に配置されている。そして、キャビン１０４の側方におけるボンネット１０３上に冷房装置の室外コンデンサ１０５が縦置きされている。
【０００３】
【発明が解決しようとする課題】
しかし、前述の如く、キャビン１０４の側方におけるボンネット１０３上に室外コンデンサ１０５を縦置き状態で設置すると、該室外コンデンサ１０５の設置高さが高くなり、該室外コンデンサ１０５によって、キャビン１０４内の作業者からの視界が遮られる。これにより、図８に斜線部分で示す如く、キャビン１０４から室外コンデンサ１０５設置側方向の広範囲を視認することができなくなり、視界が悪くなっていた。また、小型のバックホーにおいてはステップ上に室外コンデンサを配置する空間を設ける余裕がなかった。
【０００４】
【課題を解決するための手段】
本発明の解決しようとする課題は以上の如くであり、次に該課題を解決する為の手段を説明する。
【０００５】
キャビン（８）の冷房装置の室外コンデンサ（２１）を、キャビン（８）側方に位置するボンネット（１４）上に設置した掘削作業車において、該室外コンデンサ（２１）を、冷却コア面（２１ａ）を上面に配置して横置き状態とし、該室外コンデンサ（２１）を前低後高に傾斜して配置し、該室外コンデンサ（２１）の下方には冷却ファン（２２）を配置し、該冷却ファン（２２）の下方に駆動モータ（２３）を配置し、前記室外コンデンサ（２１）、及び室外コンデンサ（２１）用の冷却ファン（２２）、及び冷却ファン（２２）の駆動モータ（２３）を、コンデンサカバー（１５）により被覆し、該コンデンサカバー（１５）の前面（１５ａ）、後面（１５ｂ）、外側面（１５ｃ）、及び上面（１５ｄ）に吸排気孔（２７）を形成し、該コンデンサカバー（１５）の上面（１５ｄ）の吸排気孔（２７）は、該コンデンサカバー（１５）内の電装部品である駆動モータ（２３）の配置位置よりずらせて形成し、前記ボンネット（１４）上面における、横置きした室外コンデンサ（２１）が設置される部分は、凹陥させて他部よりも低い面とした凹陥部（１４ａ）に形成したものである。
【０００６】
【発明の実施の形態】
次に、本発明の実施の形態を、図面に基づいて説明する。
【０００７】
図１は本発明の冷房装置配置構造を有する掘削作業車を示す全体側面図、図２は冷房装置の室外コンデンサの配置位置を示す平面図、図３は同じく後面図、図４は同じく側面図、図５は室外コンデンサのボンネット上面への設置状態を示す側面図、図６はボンネットカバーを示す斜視図、図７は室外コンデンサを横置き状態で設置した場合のキャビンからの室外コンデンサ設置方向の視界を示す図、図８は従来の如くボンネット上に室外コンデンサを縦置きで設置した状態でのキャビンからの室外コンデンサ設置方向の視界を示す図である。
【０００８】
まず、本発明の冷房装置配置構造を有する掘削作業車の構成について説明する。図１において、掘削作業車は、クローラ式走行装置１の上部中央に旋回体２を左右旋回可能に支持しており、該クローラ式走行装置１の前後一端部には、ブレード３を上下回動自在に配設している。旋回体２の上方にはエンジン等を被覆するボンネット１４が配設されるとともに、操作レバーやシート等で構成される運転操作部を覆うキャビン８が配設されている。
【０００９】
また、旋回体２の前端部にはブームブラケット１２が左右回動自在に取り付けられ、該ブームブラケット１２にはブーム６の下端部が上下回動自在に支持されている。ブーム６は途中部で前方に屈曲して、側面視において略「く」字状に形成されており、該ブーム６の上端部にはアーム５が回動自在に支持され、該アーム５の先端部には作業用アタッチメントであるバケット４が回動自在に支持されている。これらのブーム６、アーム５、及びバケット４等により作業機７が構成されている。
【００１０】
そして、前記ブーム６はブームシリンダ１１により回動動作され、アーム５はアームシリンダ１０により回動動作され、バケット４はバケットシリンダ９により回動動作されている。該ブームシリンダ１１、アームシリンダ１０、及びバケットシリンダ９は油圧シリンダに構成され、各シリンダ９・１０・１１は旋回台２のボンネット４内に配設される油圧ポンプから油圧ホースを通じて作動油を供給することにより伸縮駆動されている。
【００１１】
図２乃至図４に示すように、前記ボンネット１４はキャビン８の側方に配置されており、例えば、キャビン８が左側に配置され、ボンネット１４が右側に配置されている。該ボンネット１４の上面には、キャビン８内を冷房するための冷房装置の室外コンデンサ２１が設置されており、該室外コンデンサ２１はコンデンサカバー１５により覆われている。該室外コンデンサ２１は横置き状態で設置され、できるだけキャビン８に近づけて配置している。
【００１２】
次に、ボンネット１４上に設置した室外コンデンサ２１及びコンデンサカバー１５について説明する。図５に示すように、コンデンサカバー１５内には、室外コンデンサ２１、該室外コンデンサ２１を冷却するための冷却ファン２２、及び該冷却ファン２２を回転駆動するための駆動モータ２３が収納されている。室外コンデンサ２１は、冷却コア面２１ａを上面に配置して、前述の如く横置き状態で設置されており、傾斜して配置されている。なお、本実施例では前低後高に傾斜配置しているが、傾斜方向は他の方向であってもよい。このように、室外コンデンサ２１を横置き状態で設置することにより、該室外コンデンサ２１の設置高さを抑えている。
【００１３】
該室外コンデンサ２１の下方には冷却ファン２２が配置され、該冷却ファン２２の下方には駆動モータ２３を配置している。また、室外コンデンサ２１は、防振部材２４を介してボンネット１４上に防振支持されている。
【００１４】
また、図３、図５、図６等に示すように、コンデンサカバー１５の前面１５ａ、後面１５ｂ、外側面１５ｃ、及び上面１５ｄには、多数の吸排気孔２７・２７・・・が形成されている。そして、コンデンサカバー１５の前面１５ａ及び上面１５ｄに形成された吸排気孔２７・２７・・・から内部へ冷却風を取り込んで、室外コンデンサ２１を冷却し、室外コンデンサ２１を冷却した後の冷却風をコンデンサカバー１５の後面１５ｂ及び外側面１５ｃに形成された吸排気孔２７・２７・・・から外部へ排出するようにしている。このように、コンデンサカバー１５内へ冷却風を取り込むように構成して室外コンデンサ２１を十分に冷却するようにしている。
【００１５】
コンデンサカバー１５の前面１５ａに形成される吸排気孔２７・２７・・・は、前面１５ａの上部に纏めて配置され、上面１５ｄに形成される吸排気孔２７・２７・・・は、上面１５ｄの前部に纏めて配置されており、前方から後方へ向かって流れる冷却風が、室外コンデンサ２１の冷却コア面２１ａを全体的に効率良く冷却するようにている。また、コンデンサカバー１５の前面１５ａからは室外コンデンサ２１側へ導風板３１を突設して、前面１５ａから取り込んだ冷却風を冷却コア面２１ａへ集中して導き、冷却効率の向上を図っている。
【００１６】
さらに、室外コンデンサ２１は、前述の如く前低後高に傾斜して配置されているので、前方から後方へ向かって流れる冷却風が冷却コア面２１ａに接触し易くなり、該室外コンデンサ２１の冷却効果を高めて、効率良く冷却することが可能となっている。
【００１７】
また、コンデンサカバー１５の上面１５ｄに形成される吸排気孔２７・２７・・・は、電装部品と平面視でずらせて配置している。つまり、吸排気孔２７・２７・・・は前記駆動モータ２３の前端部よりも前方に配置して、降雨時等に上面１５ｄの吸排気孔２７・２７・・・から内部に水が浸入した場合でも、コンデンサカバー１５内に収納される電装部品である駆動モータ２３にかからないようにして、該駆動モータ２３が故障することを防止している。尚、コンデンサカバー１５の後面１５ｂ及び外側面１５ｃに形成される吸排気孔２７・２７・・・は、該後面１５ｂ及び外側面１５ｃの略全域に渡って形成し、排風効率を高めている。
【００１８】
また、図３、図５に示すように、ボンネット１４上面における、室外コンデンサ２１が設置される部分は、凹陥させて他部よりも低い面とした凹陥部１４ａに形成し、横置きした室外コンデンサ２１の設置高さをさらに抑えている。
【００１９】
以上の如く、室外コンデンサ２１を、キャビン８側方のボンネット１４上に横置き状態で設置し、該ボンネット１４の室外コンデンサ２１設置部分を凹陥部１４ａ形成することにより、該室外コンデンサ２１及びコンデンサカバー１３の設置高さを低く抑えることができ、室外コンデンサ２１及びコンデンサカバー１３によって、キャビン８内の作業者からの視界が遮られることを防止して、視界を良好に保つことができる。
【００２０】
例えば、図７に示すように、キャビン８内の作業者からのボンネット１４側の視界は、ボンネット１４上に設置した室外コンデンサ２１及びコンデンサカバー１３の影響を受けることはなく、ボンネット１４により規制されることとなる。
【００２１】
【発明の効果】
本発明は以上の如く構成したので、次のような効果を奏するのである。
請求項１の如く、キャビン（８）の冷房装置の室外コンデンサ（２１）を、キャビン（８）側方に位置するボンネット（１４）上に設置した掘削作業車において、該室外コンデンサ（２１）を、冷却コア面（２１ａ）を上面に配置して横置き状態とし、該室外コンデンサ（２１）を前低後高に傾斜して配置し、該室外コンデンサ（２１）の下方には冷却ファン（２２）を配置し、該冷却ファン（２２）の下方に駆動モータ（２３）を配置したので、室外コンデンサを、冷却コア面を上面に配置して前低後高に傾斜して配置することで、前方から後方へ向かって流れる冷却風が冷却コア面に接触し易くなり、冷却効果を高めて室外コンデンサを効率良く冷却することが可能となる。
【００２２】
また、前記室外コンデンサ（２１）、及び室外コンデンサ（２１）用の冷却ファン（２２）、及び冷却ファン（２２）の駆動モータ（２３）を、コンデンサカバー（１５）により被覆し、該コンデンサカバー（１５）の前面（１５ａ）、後面（１５ｂ）、外側面（１５ｃ）、及び上面（１５ｄ）に吸排気孔（２７）を形成し、該コンデンサカバー（１５）の上面（１５ｄ）の吸排気孔（２７）は、該コンデンサカバー（１５）内の電装部品である駆動モータ（２３）の配置位置よりずらせて形成したので、コンデンサカバーの前面及び上面に形成された吸排気孔から内部へ冷却風を取り込んで、室外コンデンサを冷却するとともに、室外コンデンサを冷却した後の冷却風をコンデンサカバーの後面及び外側面に形成した吸排気孔から外部へ排出することができ、室外コンデンサを十分に冷却することができる。
また、コンデンサカバー上面の吸排気孔は、該コンデンサカバー内の電装部品の配置位置よりずらせて形成しているので、降雨時等にコンデンサカバー上面に形成した吸排気孔から内部に水が浸入した場合でも、コンデンサカバー内に収納される駆動モータ等の電装部品にかからないようにして、該電装部品が故障することを防止することができる。
【００２３】
また、前記ボンネット（１４）上面における、横置きした室外コンデンサ（２１）が設置される部分は、凹陥させて他部よりも低い面とした凹陥部（１４ａ）に形成し、室外コンデンサ２１の設置高さを抑えたもので、室外コンデンサ及び該室外コンデンサを覆うコンデンサカバーの設置高さを抑えることができ、該室外コンデンサによってキャビン内からの視界が遮られることを防止して視界を良好に保ち視認範囲を広く確保することができる。
また、前記ボンネット上面の室外コンデンサ設置部分を凹陥させることにより、横置きした室外コンデンサの設置高さをさらに抑えて、キャビン内からの視界が室外コンデンサ及びコンデンサカバー１３によって遮られることを防止し、さらに視界を良好に保つことができる。
【図面の簡単な説明】
【図１】  本発明の冷房装置配置構造を有する掘削作業車を示す全体側面図である。
【図２】  冷房装置の室外コンデンサの配置位置を示す平面図である。
【図３】  同じく後面図である。
【図４】  同じく側面図である。
【図５】  室外コンデンサのボンネット上面への設置状態を示す側面図である。
【図６】  ボンネットカバーを示す斜視図である。
【図７】  室外コンデンサを横置き状態で設置した場合のキャビンからの室外コンデンサ設置方向の視界を示す図である。
【図８】  従来の如くボンネット上に室外コンデンサを縦置きで設置した状態でのキャビンからの室外コンデンサ設置方向の視界を示す図である。
【符号の説明】
２  旋回体
７  作業機
８  キャビン
１４  ボンネット
１４ａ  凹陥部
１５  コンデンサカバー
１５ａ  前面
１５ｂ  後面
１５ｃ  外側面
１５ｄ  上面
２１  室外コンデンサ
２１ａ  冷却コア面
２２  冷却ファン
２３  駆動モータ
２７  吸排気孔
【図１】
0004143704.tif 000002
【図２】
0004143704.tif 000003
【図３】
0004143704.tif 000004
【図４】
0004143704.tif 000005
【図５】
0004143704.tif 000006
【図６】
0004143704.tif 000007
【図７】
0004143704.tif 000008
【図８】
0004143704.tif 000009